(57)【要約】【目的】  光の利用効率を向上できる集光素子及び照明装置及び投写型映像表示装置を提供する。【構成】  ＬＥＤ光源１は、ＬＥＤ１２と角度制御レンズ１１とから成る。角度制御レンズ１１は、回転対称な形状を有する透明部材から成り、中央部の凸状曲面領域（光出射領域）Ａ１と、周辺側曲面領域（光出射領域）Ｂ１と、周辺側曲面反射領域Ｃ１と、中央の凹状曲面領域（光入射領域）Ｄ１と、前記領域Ａ１・Ｂ１間に形成された凸状曲面領域Ｅとを有して成る。前記凸状曲面領域Ｅは、ＬＥＤ１２からの直接到来光（中央部以外の直接到来光）を受ける位置に形成され、この受けた光を前方向（光の出射角度制御において予定している方向）に出射するように光学設計される。【選択図】        図１
2006243603.tif 000002
【特許請求の範囲】
【請求項１】
発光素子から出射された光の進行角度を制御して所定の方向に導く集光素子において、前記発光素子から出射される光が入射する光入射領域と、前記発光素子から出射される光のうち中央側出射光を直接受けて前記所定の方向に出射する第１光出射領域と、前記発光素子から出射される光のうち周辺側出射光を受けて反射する反射領域と、前記第１光出射領域よりも周辺側に形成されており、前記反射領域にて反射された光を受けて前記所定の方向に出射する第２光出射領域と、前記第１光出射領域と第２光出射領域との間に形成され、前記発光素子から出射される光のうち周辺側出射光を直接受けて前記所定の方向に出射する第３光出射領域と、を備えて成り、前記各領域は互いに異なる面から成ることを特徴とする集光素子。
【請求項２】
請求項１に記載の集光素子において、前記第１光出射領域及び第３光出射領域は凸状曲面から成ることを特徴とする集光素子。
【請求項３】
請求項１又は請求項２に記載の集光素子において、前記光入射領域は曲面又は平坦面から成ることを特徴とする集光素子。
【請求項４】
請求項１乃至請求項３のいずれかに記載の集光素子において、前記光入射領域上であって、前記第２光出射領域の方向及び前記第３光出射領域の方向に進む光を受ける位置に光入射局所領域が形成されており、前記光入射局所領域は、入射した光を前記第３光出射領域に導くように光学設計されており、前記第３光出射領域は前記光入射局所領域からの光を前記所定の方向に出射するように光学設計されていることを特徴とする集光素子。
【請求項５】
請求項４に記載の集光素子において、前記光入射局所領域は凸状曲面を成すことを特徴とする集光素子。
【請求項６】
請求項１乃至請求項５のいずれかに記載の集光素子において、前記各領域の全部又は一部は非球面を成すことを特徴とする集光素子。
【請求項７】
請求項１乃至請求項５のいずれかに記載の集光素子と、その光入射領域に設けられた発光素子と、から成ることを特徴とする照明装置。
【請求項８】
請求項７に記載の照明装置において、前記集光素子から出射された光の強度を照明対象物上で均一化する光インテグレータを備えたことを特徴とする照明装置。
【請求項９】
第１の方向に主光線軸を向けて配置された第１色光源と、第２の方向に主光線軸を向けて配置された第２色光源と、第３の方向に主光線軸を向けて配置された第３色光源と、を備え、各色光源として請求項７又は請求項８に記載の照明装置を備えたことを特徴とする照明装置。
【請求項１０】
請求項９に記載の照明装置において、第１色光源は赤色光を出射し、第２色光源は青色光を出射し、第３色光源は緑色光を出射することを特徴とする照明装置。
【請求項１１】
第１の方向に主光線軸を向けて配置された赤色光源と、第２の方向に主光線軸を向けて配置された青色光源と、第３の方向に主光線軸を向けて配置された緑色光源と、各色光源から出射された光を略同一方向に導く光学部材と、を備え、各色光源として請求項７又は請求項８に記載の照明装置を備えたことを特徴とする照明装置。
【請求項１２】
請求項１１に記載の照明装置において、照明中は赤色光と緑色光と青色光とが常時出射されるように構成されていることを特徴とする照明装置。
【請求項１３】
請求項１１に記載の照明装置において、照明中は赤色光と緑色光と青色光とが時分割で出射されるように構成されていることを特徴とする照明装置。
【請求項１４】
請求項１２に記載の照明装置と、一つのフルカラーライトバルブと、前記フルカラーライトバルブを経ることで得られた映像光を投写する投写手段と、を備えたことを特徴とする投写型映像表示装置。
【請求項１５】
請求項１２に記載の照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする投写型映像表示装置。
【請求項１６】
白色光を出射する請求項７又は請求項８に記載の照明装置と、一つのフルカラーライトバルブと、前記フルカラーライトバルブを経ることで得られた映像光を投写する投写手段と、を備えたことを特徴とする投写型映像表示装置。
【請求項１７】
請求項９に記載の照明装置と、各色光源からの光をそれぞれ受ける３つのライトバルブと、各ライトバルブを経ることで得られた各色映像光を合成して投写する投写手段と、を備えたことを特徴とする投写型映像表示装置。
【発明の詳細な説明】
【技術分野】
【０００１】
この発明は、集光素子及び照明装置及び投写型映像表示装置に関する。
【背景技術】
【０００２】
液晶プロジェクタなどに用いられる照明装置としては、超高圧水銀ランプ、メタルハライドランプ、キセノンランプ等のランプと、その照射光を平行光化するパラボラリフレクタから成るものが一般的である。更に、近年においては、発光ダイオード（ＬＥＤ）を光源として用いることも試みられている（特許文献１参照）。
【０００３】
発光ダイオードから成る光源の構成例を図９に示す。図９（ａ）に示す光源１００は、ＬＥＤ素子を半球状の樹脂（半球状レンズカバー）で覆った構造を有する。このような光源１００は、ＬＥＤ素子からの出射光が拡散するため、光の分散角を制御するためのレンズが必要になる。例えば、光源１００の光出射面に両凸レンズやメニスカレンズを配置することによって略平行光を得ることができる。また、図９（ｂ）に示す光源１０１は、外周曲面を全反射面とし、光出射面を平らにした形状の角度制御レンズ１０１ａを有して成る（特許文献２参照）。また、図９（ｃ）に示す光源１０２は、外周曲面を全反射面とし、光出射面に複数の曲面領域を形成した角度制御レンズ１０２ａを備えて成る（このような光源１０２はLumileds Lighting 社により提供されている）。
【特許文献１】特開２００２−１８９２６３号公報
【特許文献２】特開昭６１−１４７５８５号公報
【発明の開示】
【発明が解決しようとする課題】
【０００４】
図８は、前記図９（ｃ）に示した角度制御レンズ１０２ａと略同じ角度制御レンズ１０３ａを備えた光源１０３を示している。角度制御レンズ１０３ａは、回転対称な形状を有する透明部材から成り、中央部の凸状曲面領域（光出射領域）Ａと、周辺側曲面領域（光出射領域）Ｂと、周辺側曲面反射領域Ｃと、中央の凹状曲面領域（光入射領域）Ｄとから成る。凹状曲面領域Ｄには半球レンズカバーを有するＬＥＤ１０３ｂが設けられている。
【０００５】
ＬＥＤ１０３ｂから出射された光のうち、前記周辺側曲面反射領域Ｃにて反射された光は、周辺側曲面領域Ｂから前方向（光の出射角度制御において予定している方向）に出射される。しかしながら、ＬＥＤ１０３ｂから出射された光のうち、周辺側曲面領域Ｂの方向に直接進む光は周辺側曲面領域Ｂにおいて全反射してしまい、側方向（光の出射角度制御において予定していない方向）に出射される。また、周辺側曲面領域Ｂに近い側の凸状曲面領域Ａに進む光は、凸状曲面領域Ａ内で全反射を繰り返し、後方（光の出射角度制御において予定していない方向）に出射される。
【０００６】
図７（ａ）に示すように、ＬＥＤ１０３ｂからの出射光は、凸状曲面領域Ａに入射する第１の範囲（１）と、直接に周辺側曲面領域Ｂに入射する第２の範囲（２）と、周辺側曲面反射領域Ｃに反射して周辺側曲面領域Ｂに入射する第３の範囲（３）とがある。前記第２の範囲（２）における光量は、図７（ｂ）に示しているように、他の範囲の光量よりも多くなっている。投写映像を明るくするためには、第２の範囲（２）における光を有効利用する必要があり、光源の光をできるだけ多く利用することが望まれる。なお、図７に示す角度は例示であり、このような角度範囲とは異なる角度範囲を持つ場合もある。
【０００７】
この発明は、上記事情に鑑み、光の利用効率を向上できる集光素子、この集光素子を用いた照明装置、及びこの照明装置を用いた投写型映像表示装置を提供することを目的とする。
【課題を解決するための手段】
【０００８】
この発明の集光素子は、上記の課題を解決するために、発光素子から出射された光の進行角度を制御して所定の方向に導く集光素子において、前記発光素子から出射される光が入射する光入射領域と、前記発光素子から出射される光のうち中央側出射光を直接受けて前記所定の方向に出射する第１光出射領域と、前記発光素子から出射される光のうち周辺側出射光を受けて反射する反射領域と、前記第１光出射領域よりも周辺側に形成されており、前記反射領域にて反射された光を受けて前記所定の方向に出射する第２光出射領域と、前記第１光出射領域と第２光出射領域との間に形成され、前記発光素子から出射される光のうち周辺側出射光を直接受けて前記所定の方向に出射する第３光出射領域と、を備えて成り、前記各領域は互いに異なる面から成ることを特徴とする。
【０００９】
上記の構成であれば、前記第３光出射部を有することにより、それが無い場合に生じていた前記第２光出射領域上での直接光の全反射による光損失を少なくすることができ、光利用効率が向上する。
【００１０】
上記構成の集光素子において、前記第１光出射領域及び第３光出射領域は凸状曲面から成っていてもよい。また、これら構成において、前記光入射領域は曲面又は平坦面から成っていてもよい。
【００１１】
また、これら構成の集光素子において、前記光入射領域上であって、前記第２光出射領域の方向及び前記第３光出射領域の方向に進む光を受ける位置に光入射局所領域が形成されており、前記光入射局所領域は、入射した光を前記第３光出射領域に導くように光学設計されており、前記第３光出射領域は前記光入射局所領域からの光を前記所定の方向に出射するように光学設計されていてもよい。
【００１２】
かかる構成であれば、第２光出射領域上での直接光の全反射による光損失を少なくすることが可能になり、更に光利用効率が向上する。かかる構成の集光素子において、前記光入射局所領域は凸状曲面を成していてもよい。
【００１３】
これら構成の集光素子において、前記各領域の全部又は一部は非球面を成していてもよい。
【００１４】
また、この発明の照明装置は、上述したいずれかの集光素子と、その光入射領域に設けられた発光素子と、から成ることを特徴とする（以下、この項において第１照明装置という）。
【００１５】
第１照明装置において、前記集光素子から出射された光の強度を照明対象物上で均一化する光インテグレータを備えてもよい（以下、この項において第２照明装置という。
【００１６】
また、この発明の照明装置は、第１の方向に主光線軸を向けて配置された第１色光源と、第２の方向に主光線軸を向けて配置された第２色光源と、第３の方向に主光線軸を向けて配置された第３色光源と、を備え、各色光源として第１照明装置又は第２照明装置を備えたことを特徴とする（以下、この項において第３照明装置という）。前記第３照明装置において、第１色光源は赤色光を出射し、第２色光源は青色光を出射し、第３色光源は緑色光を出射してもよい。
【００１７】
また、この発明の照明装置は、第１の方向に主光線軸を向けて配置された赤色光源と、第２の方向に主光線軸を向けて配置された青色光源と、第３の方向に主光線軸を向けて配置された緑色光源と、各色光源から出射された光を略同一方向に導く光学部材と、を備え、各色光源として第１照明装置又は第２照明装置を備えたことを特徴とする（以下、この項において第４照明装置という）。
【００１８】
第４照明装置において、照明中は赤色光と緑色光と青色光が常時出射されるように構成されていてもよい（以下、この項において第５照明装置という）。或いは、第４照明装置において、照明中は赤色光と緑色光と青色光とが時分割で出射されるように構成されていてもよい（以下、この項において第６照明装置という）。
【００１９】
また、この発明の投写型映像表示装置は、第５照明装置と、一つのフルカラーライトバルブと、前記フルカラーライトバルブを経ることで得られた映像光を投写する投写手段と、を備えたことを特徴とする。
【００２０】
また、この発明の投写型映像表示装置は、第６照明装置と、一つのライトバルブと、各色光の出射タイミングに同期して前記ライトバルブに各色用の映像信号を供給する手段と、前記ライトバルブを経ることで得られた映像光を投写する投写手段と、を備えたことを特徴とする。
【００２１】
また、この発明の投写型映像表示装置は、白色光を出射する第１照明装置又は第２照明装置と、一つのフルカラーライトバルブと、前記フルカラーライトバルブを経ることで得られた映像光を投写する投写手段と、を備えたことを特徴とする。
【００２２】
また、この発明の投写型映像表示装置は、第３照明装置と、各色光源からの光をそれぞれ受ける３つのライトバルブと、各ライトバルブを経ることで得られた各色映像光を合成して投写する投写手段と、を備えたことを特徴とする。
【発明の効果】
【００２３】
この発明によれば、発光素子から出射された光の利用効率を向上することができるという効果を奏する。
【発明を実施するための最良の形態】
【００２４】
以下、この発明の実施例を図１乃至図６に基づいて説明していく。
【００２５】
図１は単板式の投写型映像表示装置６の光学系を示した図である。この投写型映像表示装置６は３つのＬＥＤ光源１Ｒ，１Ｇ，１Ｂを備える（以下、個々のＬＥＤ光源を特定しないで示すときには、符号”１”を用いる）。ＬＥＤ光源１Ｒは赤色光を出射し、ＬＥＤ光源１Ｇは緑色光を出射し、ＬＥＤ光源１Ｂは青色光を出射する。ＬＥＤ光源１Ｇはクロスダイクロイックプリズム２を挟んでロッドインテグレータ３の光入射面に対面して設けられ、ＬＥＤ光源１ＲとＬＥＤ光源１Ｂはクロスダイクロイックプリズム２を挟んで互いに対面して配置されている。すなわち、クロスダイクロイックプリズム２の第１光入射領域にはＬＥＤ光源１Ｒが設けられ、第２光入射領域にはＬＥＤ光源１Ｂが設けられ、第３光入射領域にはＬＥＤ光源１Ｇが配置される。
【００２６】
各ＬＥＤ光源１から出射された色光はクロスダイクロイックプリズム２によってロッドインテグレータ３の光入射領域に導かれる。ロッドインテグレータ３は四角柱形状の透明ガラスから成る。ロッドインテグレータ３の少なくとも光出射領域の縦横比は液晶パネル４の縦横比に略一致している。ロッドインテグレータ３は各ＬＥＤ光源１からの各色光をロッド内面にて反射させて液晶パネル４に導くので、各色光の光強度分布は液晶パネル４（照明対象物）上でほぼ均一化されることになる。
【００２７】
液晶パネル４は、ＲＧＢカラーフィルタを備えた構造、或いはＲＧＢカラーフィルタを備えない構造を有する。ＲＧＢカラーフィルタを備える構造の液晶パネル４を用いる場合には、全ＬＥＤ光源１Ｒ，１Ｇ，１Ｂを同時点灯して白色光を液晶パネル４に導く。前記ＲＧＢカラーフィルタを備えない構造の液晶パネル４を用いる場合には、ＬＥＤ光源１Ｒ，１Ｇ，１Ｂを時分割で順次に所定時間点灯させると共に、この所定時間点灯のタイミングに同期させて液晶パネル４に各色の映像信号を供給する。
【００２８】
液晶パネル４を透過することで変調された光（映像光）は、投写レンズ５によって拡大投写され、図示しないスクリーン上に投影表示される。
【００２９】
偏光変換装置をロッドインテグレータ３の光出射側に設けてもよい。この場合の偏光変換装置はロッドインテグレータ３の光出射部の大きさに対応した単一のＰＢＳ（偏光ビームスプリッタ）と、このＰＢＳにおける偏光分離膜に平行に設けられたミラーと、前記ミラー又はＰＢＳの光出射側に設けた位相差板とを備えればよい。ただし、この場合には、偏光変換装置の光出射部の大きさはロッドインテグレータ３の光出射部の大きさの２倍になる。従って、偏光変換装置の光出射部の全体形状が液晶パネルの縦横比に略一致させるのが望ましい。この場合、液晶パネルの縦横比をＡ：Ｂとすると、ロッドインテグレータ３の光出射部の縦横比は例えばＡ：Ｂ／２となる。また、ロッドインテグレータ３の光出射部だけでなく光入射部の縦横比をもＡ：Ｂ／２としてもよい。この場合、クロスダイクロイックミラー２とロッドインテグレータ３の光入射部との間にアナモフィック光学系を設け、光束の縦横比を調整すればよい。勿論、ロッドインテグレータ３の光出射部の縦横比をＡ／２：Ｂとする構成も採用しえる。また、偏光変換装置を各ＬＥＤ光源１の光出射側に設けてもよい。この場合の偏光変換装置はＬＥＤ光源１の光出射部の大きさに対応した単一のＰＢＳと、このＰＢＳにおける偏光分離膜に平行に設けられたミラーと、前記ミラー又はＰＢＳの光出射側に設けた位相差板とを備えればよい。これら偏光変換装置においては、単一のＰＢＳから成る偏光変換装置に限るものではなく、一つのＬＥＤに対して二つのＰＢＳを用いてもよい。この場合、二つのＰＢＳにおける偏光分離膜は側面から見て＜形状に設けられ、前記＜形状の先鋭側にＬＥＤ光源が配置される。また、一列に並べられた複数のＬＥＤ光源に対して前記二つのＰＢＳを用いることもできる。この場合、一列に並べられた複数のＬＥＤ光源は前記＜形状の先鋭側に配置される。また、偏光分離膜としては誘電体多層膜或いはワイヤーグリッドを用いることができる。
【００３０】
図２は前記ＬＥＤ光源１の断面図である。ＬＥＤ光源１は、一つの半球形状を有するＬＥＤ（発光ダイオード）１２と一つの角度制御レンズ（集光素子）１１とから成る。角度制御レンズ１１は、軸Ｘ回りに回転対称な形状を有する透明部材から成り、中央部の凸状曲面領域（光出射領域）Ａ１と、周辺側曲面領域（光出射領域）Ｂ１と、周辺側曲面反射領域Ｃ１と、中央の凹状曲面領域（光入射領域）Ｄ１と、前記領域Ａ１・Ｂ１間に形成された凸状曲面領域Ｅとを有して成る。これら曲面は互いに異なる曲率を有し且つ互いに異なる位置に形成される。前記凹状曲面領域Ｄ１には、前記ＬＥＤ１２がその主光線軸を前記軸Ｘに一致させて設けられている。なお、この実施形態では、前記曲面領域Ｄ１は球面とし、他の曲面領域は全て非球面としている。勿論、曲面領域Ｄ１が平面である構成を採用しうる。
【００３１】
ＬＥＤ１２から出射された光のうち、凸状曲面領域Ａ１に進む光は、当該凸状曲面領域Ａ１から前方向（光の出射角度制御において予定している方向）に出射される。ＬＥＤ１２から出射された光のうち、周辺側曲面反射領域Ｃ１に進む光は、当該領域Ｃ１にて反射され、周辺側曲面領域Ｂ１から前方向（光の出射角度制御において予定している方向）に出射される。すなわち、このような光出射角度制御が行われるように、角度制御レンズ１の屈折率及び前記曲面の曲率が設計されている。
【００３２】
前記凸状曲面領域Ｅは、凸状曲面領域Ａ１と周辺側曲面領域Ｂ１との間に形成されている。従来項で説明した角度制御レンズ１０３ａを参酌して説明すると、その周辺側曲面領域Ｂの方向へ直接進む光の一部を受ける箇所（例えば、図７における６０°から６５°付近）に前記凸状曲面領域Ｅが形成される。すなわち、凸状曲面領域Ｅは、ＬＥＤ１２からの周辺側の直接到来光を受ける位置に形成され、この受けた光を前方向（光の出射角度制御において予定している方向）に出射するように光学設計される。
【００３３】
図３はＬＥＤ光源１（凸状曲面領域Ｅ有り）から出射される光の分散角（投写レンズ５にとっては取り込み最大角）と光量との関係を示したグラフ（図の一点鎖線）である。なお、参考のために両凸レンズを備えたＬＥＤ光源（図の点線）及び従来の角度制御レンズ１０３ａを備えたＬＥＤ光源１０３（図の粗点線、凸状曲面領域Ｅ無し）のグラフも示している。この図３から分かるように、ＬＥＤ光源１の光量は、取り込み角度の全体に渡って従来構造よりも増大している。なお、例えば、投写レンズ５の取り込み最大角が１４°である場合においてＬＥＤ光源１０３の光量が１００であるとすると、ＬＥＤ光源１においては、約１０５の値（５％向上）が得られている。
【００３４】
図４（ａ）はＬＥＤ光源１Ａを示した断面図である。ＬＥＤ光源１Ａは、ＬＥＤ１２と角度制御レンズ（集光素子）１３とから成る。角度制御レンズ１３は、前述した角度制御レンズ１１と同様に、中央部の凸状曲面領域Ａ１と、周辺側曲面領域Ｂ１と、周辺側曲面反射領域Ｃ１と、凹状曲面領域Ｄ１と、凸状曲面領域Ｅとを有しており、更に、凸形状（この実施形態では、非球面としている）の光入射局所領域Ｆを有したものである。
【００３５】
光入射局所領域Ｆは、前記凹状曲面領域（光入射領域）Ｄ１上であって、前記周辺側曲面領域Ｂ１の方向及び前記凸状曲面領域Ｅの方向に進む光を受ける位置に形成されている。そして、光入射局所領域Ｆは、ＬＥＤ１２からの光を前記凸状曲面領域Ｅに導くように光学設計されている。また、前記凸状曲面領域Ｅは前記光入射局所領域Ｆからの光を前方に出射するように光学設計されている。
【００３６】
上記のＬＥＤ光源１Ａであれば、図４（ｂ）の点線で示される範囲（例えば、図７における４０°から６５°の範囲：図７に示す角度は例示であり、このような角度範囲とは異なる角度範囲を持つ場合もある。）のＬＥＤ出射光が光入射局所領域Ｆに入射することになる。従って、ＬＥＤ光源１Ａにおいては、図４（ｂ）の点線で示される範囲の光（従来のＬＥＤ光源１０３では前方に導くことができなかった範囲の光）は光入射局所領域Ｆから前記凸状曲面領域Ｅの方向に進み、角度制御レンズ１３の前方へ出射されることになる。
【００３７】
以上の説明において、投写型映像表示装置６は透過型の液晶パネルを用いることとしたが、これに限らず、反射型の液晶パネルを用いてもよいし、これら液晶パネルに替えて、画素となる微小ミラーを個々に駆動するタイプの表示パネルを用いることとしてもよい。また、固体発光素子は発光ダイオード（ＬＥＤ）に限るものではなく、有機／無機のエレクトロルミネッセンスなどを用いることができる。
【００３８】
また、投写型映像表示装置としては、図１に示したものに限らず、図５及び図６に示した構成等を採用できる。図５の投写型映像表示装置は、各色映像光を合成する手段であるクロスダイクロイックプリズム７を備える。クロスダイクロイックプリズム７の３つの光入射面には、赤色用の液晶表示パネル４Ｒと緑色用の液晶表示パネル４Ｇと青色用の液晶表示パネル４Ｂが配置されており、各液晶表示パネルに対面してＬＥＤ光源１ＲとＬＥＤ光源１ＧとＬＥＤ光源１Ｂとを設けている。なお、各液晶表示パネルとＬＥＤ光源１との間にロッドインテグレータ３を設けてもよい。図６の投写型映像表示装置は、白色光を出射するＬＥＤ光源１Ｗを備える。ＬＥＤ光源１ＷはＬＥＤ光源１又はＬＥＤ光源１Ａの構造を有する。図６における液晶表示パネル４はフルカラー映像パネルである。また、これら構成において、偏光変換装置を適宜設けてもよい。
【００３９】
また、以上説明した照明装置において、光インテグレータとしてガラスロッドであるロッドインテグレータ３を示したが、中空構造のロッドインテグレータを用いることもできる。また、光インテグレータとして一対のフライアイレンズから成るインテグレータレンズを用いることもできる。光源から出射される光束において十分な均一性が得られる場合には光インテグレータを省略することができる。また、光源は固体発光素子に限定されるものではない。また、投写レンズに代えて投写用の曲面ミラーを備えてもよい。
【００４０】
また、各色用の光源として一つのＬＥＤ光源１を設けた構成を示したが、各色光源として複数のＬＥＤ光源１を設けてもよい。また、前記凹状曲面領域（光入射領域）Ｄ１は、半球形状に限らず、平坦面或いは平坦凹形状を有していてもよい。また、ＬＥＤ１２についても、半球レンズカバーをもつものに限定されない。また、クロスダイクロイックプリズムに代えてクロスダイクロイックミラーを用いることもできる。
【図面の簡単な説明】
【００４１】
【図１】この発明の実施形態の投写型映像表示装置の光学系を示した説明図である。
【図２】ＬＥＤ光源（照明装置）を示した断面図である。
【図３】図２のＬＥＤ光源における光量と従来光源の光量との比較を示すグラフである。
【図４】同図（ａ）はこの発明の他の実施形態のＬＥＤ光源（照明装置）を示した断面図であり、同図（ｂ）は同図（ａ）の一部拡大図である。
【図５】この発明の他の実施形態の投写型映像表示装置の光学系を示した説明図である。
【図６】この発明の他の実施形態の投写型映像表示装置の光学系を示した説明図である。
【図７】従来のＬＥＤ光源を示した図であって、同図（ａ）は３つの領域の角度範囲を示した説明図であり、同図（ｂ）は各範囲の光量を示したグラフである。
【図８】従来のＬＥＤ光源を示した断面図である。
【図９】同図（ａ）（ｂ）（ｃ）はそれぞれ従来のＬＥＤ光源を示した断面図である。
【符号の説明】
【００４２】
１，１Ａ    ＬＥＤ光源
１１  角度制御レンズ（集光素子）
１２  ＬＥＤ（発光素子）
１３  角度制御レンズ（集光素子）
６    投写型映像表示装置
【図１】
2006243603.tif 000003
【図２】
2006243603.tif 000004
【図３】
2006243603.tif 000005
【図４】
2006243603.tif 000006
【図５】
2006243603.tif 000007
【図６】
2006243603.tif 000008
【図７】
2006243603.tif 000009
【図８】
2006243603.tif 000010
【図９】
2006243603.tif 000011